(57)【要約】【課題】遊技場係員の手を煩わせるような手作業による回収用器具類を使用することなく、パチンコ遊技場のフロア−にこぼれたパチンコ玉の回収を速やかにしかも効率良く自動的に回収することができるようにしたパチンコのこぼれ玉自動回収装置を提供する。【解決手段】パチンコ台の島下部に配置されたこぼれ玉回収装置１０は、島１００の腰板１５，１５の最下部両側に配置された巾木部に沿い、電動モータ８によってローラ７，７・・に巻回して駆動される磁気ベルト６により、パチンコのこぼれ玉を前記磁気ベルト６に付着させて搬送移動し、島１００の適宜個所、例えば島の一隅において前記磁気ベルト６に付着して搬送されたパチンコ玉を掻き落し、これを自動的に回収するように構成した。【選択図】  図１
2004160022.tif 000002
【特許請求の範囲】
【請求項１】
パチンコ台の島下部に配置された腰板の最下部に沿い、駆動手段により該島の所定部間に配置された回転体に巻回駆動される磁性搬送媒体手段を備えることを特徴とするこぼれ玉回収装置。
【請求項２】
前記回転体の少なくとも１つにパチンコ玉掻き落し手段を摺接配置し、該パチンコ玉掻き落し手段の下方にパチンコ玉回収ボックスを配設したことを特徴とする請求項１に記載のこぼれ玉回収装置。
【請求項３】
前記パチンコ玉回収ボックスをパチンコ玉とゴミとを分別回収する玉・ゴミ回収ボックスとしたことを特徴とする請求項１ないし請求項２のいずれかに記載のこぼれ玉回収装置。
【請求項４】
前記パチンコ玉掻き落し手段を異物分離ブラシとしたことを特徴とする請求項１ないし請求項３のいずれかに記載のこぼれ玉回収装置。
【請求項５】
前記玉・ゴミ回収ボックスは、ゴミ回収ボックスの中に配設されていることを特徴とする請求項１ないし請求項４のいずれかに記載のこぼれ玉回収装置。
【請求項６】
前記パチンコ玉回収ボックスは、その中の上部に消磁手段が配設されていることを特徴とする請求項１ないし請求項５のいずれかに記載のこぼれ玉回収装置。
【請求項７】
前記玉・ゴミ分離ボックスは、その底部がスノコ状又は網目状の非閉塞底部に形成されていることを特徴とする請求項１ないし請求項６のいずれかに記載のこぼれ玉回収装置。
【請求項８】
前記玉・ゴミ分離ボックスの底部は、段差が設けられていることを特徴とする請求項１ないし請求項７のいずれかに記載のこぼれ玉回収装置。
【請求項９】
前記玉・ゴミ分離ボックスの底部において、前記段差の上段の底部は下段の底部へ向かう下降傾斜が形成されていることを特徴とする請求項１ないし請求項８のいずれかに記載のこぼれ玉回収装置。
【発明の詳細な説明】
【０００１】
【発明の属する利用分野】
この発明は、パチンコ遊技場におけるフロア−のこぼれ玉を回収するための装置に関し、詳しくは手作業によらないでこぼれ玉を回収できるようにしたパチンコ遊技場におけるこぼれ玉自動回収装置に関するものである。
【０００２】
【従来の技術】
従来、パチンコ遊技場においては、パチンコ玉が遊技場のフロア−にこぼれた玉の回収には、遊技場の係員がフロア−を巡回して手作業により、回収器具等を使用するなどしてパチンコのこぼれ玉を回収していた。このようなパチンコのこぼれ玉の回収は主として遊技場の営業時間内において客が大勢入場し、遊技に熱中しているような時間帯のときに、こぼれ玉の回収作業を行うことが一般的であるが、勿論、営業時間の終了後の清掃や片付け作業にも行われるものである。したがって、特に遊技場の営業時間中におけるこぼれ玉の回収作業では、遊技中の客に遊技を中断させて、こぼれ玉を回収したりして遊技の興趣を害なうような作業は好ましくなく、また、こぼれ玉が遊技場のフロア−に散乱したままの状態では、客がこぼれ玉を踏んだりして転倒する恐れがあることなどから、放置しておくことができず、遊技場の係員が頻繁に場内を巡回して回収作業を行う必要があった。そして、営業時間内のこのようなこぼれ玉の回収は、遊技者の興趣を害わず、また、歩行中などの転倒の危険防止の上からも、速やかに実施できるものでなければならず、したがって、迅速なこぼれ玉の回収に使用される器具が各種提案されている。例えば、このような器具の代表的な例としては、特許文献１に示すような磁石式のパチンコ用玉取り装置、特許文献２に示すような車輪型のパチンコ玉の回収機、そして特許文献３に示すような掃除機型のパチンコ玉回収装置などがある。
【０００３】
【特許文献１】
特開平６−２６１９８１号公報（第１頁、第１図）
【特許文献２】
特許平８−１３１６４７号公報（第３頁、第１図）
【特許文献３】
特開２０００−２３７４４３号公報（第２頁、第１図）
【０００４】
【発明が解決しようとする課題】
上記従来の技術において、例えば、特許文献１の発明では、該文献図１に示すように、ピストル形に形成した把持部１からパイプ製のアーム２を延設し、このアーム先端に回動可能に吸着ヘッド３を取着し、この吸着ヘッド内に磁石４を配装し、該磁石４を連結杆５を介して把持部内の操作片６に連結してヘッド底部３ａから引き離し可能に構成し、前記ヘッド底部３ａを吸着ヘッド３の底部開口に着脱自在に取着した底蓋７に形成し、吸着ヘッド３の一側面で底蓋７から支持部材８を突設し、該支持部材８に遊転自在に転輪９を取着し、該転輪下部をヘッド底部外面延長平面に合致させたパチンコ用玉取り装置が開示されている。しかしながら、この発明では、吸着ヘッド３の向きを変えるだけで、フロアー面に散乱する玉を収拾することができる利点を有するものの、その収拾作業の都度、遊技場係員の手を煩わせなければならないという問題がある。また、特許文献２の発明では、該文献図１に示すように、棹部３と、該棹部３に連結部５及び枠体２４を介して接続される収集部２とからなり、車輪の回転に連動して回転しパチンコ玉を収集するフィン部２２と、該フィン部２２の内部に配設された磁石２７と、パチンコ玉を回収する回収部２５をとを設けたパチンコ玉の回収機が開示されており、フロアー面に散乱するパチンコ玉を効率良く、かつ安全、衛生的に収拾する利点を有するものの、前記従来例と同様、その収拾作業の都度、遊技場係員の手を煩わせなければならないという問題がある。特許文献３の発明では、該文献図１に示すように、台車１上に載置された密閉状態の玉回収室２に、内径をパチンコ玉の径より僅かに大きくした玉吸引チューブ４と掃除機本体１００の吸引チューブ１０１の先端ノズル部１０２とを接続したパチンコ玉回収装置が開示されている。この発明でも、前記各従来例と同様、フロア−に零れ落ちたパチンコ玉の回収作業の都度、遊技場係員の手を煩わせなければならないという問題があった。さらに、これらの回収装置又は器具では、こぼれたパチンコ玉が狭所に入り込んだ場合は非常に回収がし難いという問題があった。
【０００５】
上記問題に鑑み、本発明の解決しようとする課題は、遊技場係員の手を煩わせるような手作業による回収用器具類を使用することなく、パチンコ遊技場のフロア−にこぼれたパチンコ玉の回収を速やかにしかも効率良く自動的に回収することができるようにしたパチンコのこぼれ玉自動回収装置を提供することを目的とするものである。
【０００６】
【課題を解決するための手段】
本発明は上記の課題を解決する為になされたものであり、その解決の為に講じた本発明の手段と、その作用は次のとおりである。
【０００７】
請求項１では、パチンコ台の島下部に配置された腰板の最下部に沿い、駆動手段により該島の所定部間に配置された回転体に巻回駆動される磁性搬送媒体手段を備えるこぼれ玉回収装置を提案する。
【０００８】
（作用）
該構成により、パチンコのこぼれ玉を磁性ベルト等の磁性搬送媒体手段に付着させて搬送移動し、島の適宜個所において前記磁気ベルト等に付着して搬送されたパチンコ玉を自動的に回収することができる。
【０００９】
請求項２では、請求項１のこぼれ玉回収装置において、前記回転体の少なくとも１つにパチンコ玉掻き落し手段を摺接配置し、該パチンコ玉掻き落し手段の下方にパチンコ玉回収ボックスを配設したこぼれ玉回収装置を提案する。
【００１０】
（作用）
該構成により、パチンコのこぼれ玉を磁性ベルト等の磁性搬送媒体手段に付着させて搬送移動し、島の適宜個所において前記磁気ベルト等に付着して搬送されたパチンコ玉を掻き落し、自動的に掻き落されたパチンコ玉と共に磁性ゴミ等とを自動的に回収することができる。
【００１１】
請求項３では、請求項１ないし請求項２のいずれかのこぼれ玉回収装置において、前記パチンコ玉回収ボックスをパチンコ玉とゴミとを分別回収する玉・ゴミ回収ボックスとしたこぼれ玉回収装置を提案する。
【００１２】
（作用）
該構成により、パチンコのこぼれ玉や磁性ゴミ等を前記磁性ベルト等に付着させて搬送移動し、島の適宜個所において前記磁気ベルト等に付着して搬送されたパチンコ玉・ゴミ等を掻き落し、掻き落されたパチンコ玉と共に磁性ゴミ等をも分別して一緒に自動的に回収することができるようにした。
【００１３】
請求項４では、請求項１ないし請求項３のいずれかのこぼれ玉回収装置において、前記パチンコ玉掻き落し手段を異物分離ブラシとしたこぼれ玉回収装置を提案する。
【００１４】
（作用）
該構成により、パチンコのこぼれ玉や磁性ゴミ等を前記磁性ベルト等に付着させて搬送移動し、島の適宜個所において前記磁気ベルト等に付着して搬送されたパチンコ玉・ゴミ等を異物分離ブラシにより掻き落し、掻き落されたパチンコ玉と共に磁性ゴミ等をも一緒に、又は分別して、しかもブラシによりパチンコ玉を傷つけることなく、自動的に回収することができるようにした。
【００１５】
請求項５では、請求項１ないし請求項４のいずれかのこぼれ玉回収装置において、前記玉・ゴミ回収ボックスは、ゴミ回収ボックスの中に配設されているこぼれ玉回収装置を提案する。
【００１６】
（作用）
該構成により、パチンコのこぼれ玉や磁性ゴミ等を前記磁性ベルト等に付着させて搬送移動し、島の適宜個所において前記磁気ベルト等に付着して搬送されたパチンコ玉・ゴミ等を異物分離ブラシにより掻き落し、掻き落されたパチンコ玉とは別に分別するゴミ回収ボックスにより磁性ゴミ等のゴミだけを自動的に回収することができるようにした。
【００１７】
請求項６では、請求項１ないし請求項５のいずれかのこぼれ玉回収装置において、前記パチンコ玉回収ボックスは、その中の上部に消磁手段が配設されているこぼれ玉回収装置を提案する。
【００１８】
（作用）
該構成により、パチンコのこぼれ玉を前記磁性ベルト等に付着させて搬送移動し、島の適宜個所において前記磁気ベルト等に付着して搬送されたパチンコ玉を掻き落し、自動的に掻き落されたパチンコ玉を自動的に回収するようにすると共に、帯磁したままのパチンコ玉やゴミ等を消磁手段により消磁して、帯磁による不都合な影響を解消することができるようにした。
【００１９】
請求項７では、請求項１ないし請求項６のいずれかのこぼれ玉回収装置において、前記玉・ゴミ分離ボックスは、その底部がスノコ状又は網目状の非閉塞底部に形成されているこぼれ玉回収装置を提案する。
【００２０】
（作用）
該構成により、パチンコのこぼれ玉を前記磁性ベルト等に付着させて搬送移動し、島の適宜個所において前記磁気ベルト等に付着して搬送されたパチンコ玉を掻き落し、消磁後のパチンコ玉やゴミ等をスノコ状又は網目状の底部に落下させることにより、こぼれ玉に付着したゴミ等を落下による衝撃でパチンコ玉から分離すると共に、該玉・ゴミ分離ボックスの非閉塞底部から更に下方へ落下させることができるようすると共に、回収されるパチンコ玉だけを該玉・ゴミ分離ボックスで取り出せるようにした。
【００２１】
請求項８では、請求項１ないし請求項７のいずれかのこぼれ玉回収装置において、前記玉・ゴミ分離ボックスの底部は、段差が設けられているこぼれ玉回収装置を提案する。
【００２２】
（作用）
該構成により、パチンコのこぼれ玉を前記磁性ベルト等に付着させて搬送移動し、島の適宜個所において前記磁気ベルト等に付着して搬送されたパチンコ玉を掻き落し、消磁後のこぼれ玉に付着したゴミ等を該玉・ゴミ分離ボックスの底部に落下させた衝撃によりパチンコ玉から分離すると共に、この衝撃をこぼれ玉に対して上段と下段とからなる前記段差により２度付与することができるようにしたので、ゴミ等の分別分離を一層効率良く促進させることができるようにした。
【００２３】
請求項９では、請求項１ないし請求項８のいずれかのこぼれ玉回収装置において、前記玉・ゴミ分離ボックスの底部において、前記段差の上段の底部は下段の底部へ向かう下降傾斜が形成されているこぼれ玉回収装置を提案する。
【００２４】
（作用）
該構成により、パチンコのこぼれ玉を前記磁性ベルト等に付着させて搬送移動し、島の適宜個所において前記磁気ベルト等に付着して搬送されたパチンコ玉を掻き落し、消磁後のこぼれ玉に付着したゴミ等を該玉・ゴミ分離ボックスの底部に落下させた衝撃によりパチンコ玉から分離すると共に、こぼれ玉に対して上段と下段とからなる前記段差により、この衝撃を２度付与することができるようにしたので、ゴミ等の分別分離を一層効率良く促進させることができ、かつ、上段の底部はスノコ状の網目の棚で傾斜配置されているものであるため、その傾斜により案内されるパチンコ玉が下段側にガイドされて、１ヶ所にパチンコ玉が滞留に留まらないようにしたから、常に新しいこぼれ玉の落下を受けることができるので、こぼれ玉に付着したゴミ等の分別分離を一層効率良く促進させることができるようにした。
【００２５】
【本発明の実施の形態】
図１は、パチンコ遊技場内に設置したパチンコ台の島の斜視図である。図１に示すように、パチンコ台の島１００は、遊技場内においては複数ヶ所に設置されるものであり、それぞれのパチンコ台の島１００は、ほぼ同様の構造に形成されているのが一般的である。パチンコ台の島１００は、複数のパチンコ機３０，３０・・が隣接配置されると共に、島１００の長手方向に沿い、その両側に背中合わせの状態でパチンコ機３０，３０・・が並列配置されている。
【００２６】
パチンコ遊技場は、一般に限られた敷地内に設けられている。この限られた敷地内にできるだけ多数のパチンコ機３０，３０・・を設置するために、島１００の幅寸法は可及的に小さくなるように設定されている。さらに、パチンコ遊技機が並列配置された島１００は、パチンコ遊技場の壁部に沿って設けられることもあるが、通常は遊技客通路間に設けられている。したがって、遊技客通路間に設けられるパチンコ機の島１００は、パチンコ機３０，３０・・が島１００本体の両側に背中合わせとなる状態に配置して構成されている。
【００２７】
（パチンコ台の島の概略構成）
図３に示すように、パチンコ台の島１００は、背中合わせに並列配置された複数のパチンコ機３０，３０・・と、これらのパチンコ機３０，３０・・を支持するための島本体枠９０とを備えている。この島本体枠９０は、パチンコ遊技場のフロア−に固定される複数の支持枠９と、これらの支持枠９の下部に取り付けられる腰板１５とを備えている。
【００２８】
図２に示すように、パチンコ台の島１００の略中央部にパチンコ玉揚送研磨機４０が設けられており、パチンコ台の島１００内において該パチンコ玉揚送研磨機４０の下方に集められたパチンコ玉を該パチンコ玉揚送研磨機４０により略フロアー面位置から島上の天井方向へ揚送され、島１００の上部に設置された島上タンク６０に貯留されるように構成されている。島上タンク６０に貯留されたパチンコ玉は、パチンコ台の島１００の両端方向へ向かって下降するように形成された樋５０内に流され、該樋５０を流下することにより個々のパチンコ機３０，３０・・へと供給されるように構成されいる。
【００２９】
島１００の各部構成について説明すると、パチンコ遊技場のフロアー上に腰板１５が対向するように並設してある。この腰板１５は、対向した状態で、複数対を連結して１つの島を構成するものである。腰板１５上にはパチンコ機３０，３０・・が背中合わせに並設され、各腰板１５，１５の外側に遊技者が椅子に座って遊技するようになっている。腰板１５の上には遊技客が主としてセーフ玉の玉入箱を載せておくための膳板１４，１４が設置されている。
【００３０】
島１００に併設された各パチンコ機３０，３０・・から排出されたパチンコ玉は、腰板１５，１５間に設けられた集合樋１８上に落下し、この集合樋１８上の斜面に沿って転がり移動する。そして、これらのパチンコ玉は、パチンコ機３０，３０・・の設置場所により条件が異なるが、幾つかの不図示の傾斜樋やミニリフト２２を通り、末端に設けてある異物シュートを経て、パチンコ玉揚送研磨機４０の導入口に入っていく。
【００３１】
パチンコ玉揚送研磨機４０で揚送されたパチンコ玉は、頂部の玉排出ヘッドから該揚送研磨機出口を経て島上タンク６０内に排出され、その中に貯留される。島上タンク６０内に貯留されたパチンコ玉はタンク下部に設けてある供給口から樋５０を経て各パチンコ機３０，３０・・へ供給される。島上タンク６０から各パチンコ機３０，３０・・へのパチンコ玉の移動は、連続して前後が接触した状態、いわゆる数珠繋ぎ状態となって順送りされるため騒音は殆ど生じないものとなっている。こうして、各パチンコ機３０，３０・・上に達したパチンコ玉は賞球玉又は貸し玉として島から離れ、遊技場内のすべての島１００，１００・・のパチンコ機３０，３０・・で使用可能となるものである。
【００３２】
島上タンク６０内のパチンコ玉は、通常は前記したように、各パチンコ機３０，３０・・に供給され、パチンコ玉の循環機構により、順調に島内を循環していれば、過剰になって島上タンク６０から溢れるような事態は生じないように構成されているが、何らかの原因で玉詰まりを起しパチンコ玉がこぼれ落ちることもあり得る。
【００３３】
また、島１００の下部には、パチンコ機３０，３０・・から遊技済みで排出されたパチンコのアウト玉を揚送研磨装置４０へ集めるために集合樋１８が設けられている。集合樋１８は、パチンコ玉を重力により斜面に沿って転がるように、適度の下降傾斜角が設けた構成に設計されている。したがって、島１００の端の壁を構成する妻板１７から下降傾斜面に沿って、島１００の中央部に設置されたパチンコ玉の揚送研磨装置４０へと、前記集合樋１８内を転動移動してパチンコ玉が集められるようになっている。さらに、島１００の妻板１７からは、遊技客が自己の持ち玉を景品交換に際して計数するための玉計数機９６が計数を終えた計数済みパチンコ玉は集合樋１８上に排出され、この集合樋１８上を転動して揚送研磨装置４０へと案内されるようになっている。しかし、ときには、この各パチンコ機３０，３０・・などから排出されたパチンコ玉が集合樋１８上に落下する際に、何らかの原因で島内に跳ね落ちてしまうこともある。
【００３４】
前記集合樋１８は、島１００内部の下部に設けた貯蔵タンク２０の中空部に配置されている。貯蔵タンク２０は、島１００の下方位置に集合樋１８に沿ってパチンコ玉揚送研磨装置４０の上流位置まで連接され、その底面は島１００の両端から中央に向かって漸次低くなるように連続に傾斜している。貯蔵タンク２０の最下流にはミニリフト２２が配置されている。このミニリフト２２は、集合樋１８から溢れて貯蔵タンク２０に落下した遊技済みパチンコ玉を再び集合樋１８まで揚送するようになっている。集合樋１８まで揚送されたパチンコ玉は、この集合樋１８の下降傾斜によって下流側の異物排除装置４４までガイドされるようになっている。
【００３５】
【こぼれ玉回収機構の第１実施形態】
一方、遊技場内のフロア−や島内におけるパチンコのこぼれ玉は、これまで通常は遊技場係員の手作業で回収されていたことについては、既に述べたとおりであるが、本発明では、前述の係員の手作業によるパチンコ玉回収を次のようなパチンコ玉の回収機構により改善したものである。
【００３６】
本実施形態では、図１に概略構成で示すように、パチンコ島１００の下部に配置された腰板１５，１５の周囲を循環するようにフロア−面に沿ってこぼれ玉回収装置１０が設置されている。
【００３７】
図４及び図５において、１はゴミ回収ボックス、２は玉・ごみ分離ボックス、３は取手、４は消磁コイル、５は異物分離ブラシ、６は磁気ベルト、７はローラであり、図１において、８は、磁気ベルト６を駆動する電動モータを示している。こぼれ玉回収装置１０は、磁気搬送媒体手段である磁気ベルト６と、回転体であるローラ７と、駆動手段である電動モータ８とから成っている。
【００３８】
本実施の形態において、図１に示すように、こぼれ玉回収装置１０は、島１００の腰板１５，１５の最下部の巾木部に沿い、電動モータ８によってローラ７，７・・に巻回して駆動される磁気ベルト６により、パチンコのこぼれ玉を前記磁気ベルト６に付着させて搬送移動し、島１００の適宜個所、例えば島の一隅において前記磁気ベルト６に付着して搬送されたパチンコ玉を掻き落し、これを自動的に回収するように構成したものである。
【００３９】
本実施の形態では、島１００の最下部の四隅に設置されたローラ７，７・・に巻回して電動モータ８により駆動される磁気ベルト６を備えるこぼれ玉回収装置１０が配設されている。この他のこぼれ玉回収装置１０の構成としては、前記ローラ７の配設を、島１００の一側の両端間に磁気ベルト６が配設されるように、島両端の妻板１７，１７部分間にローラ７，７を１個づつ配置したものでもよく、島両端間に限らず、所要部分間のみに配設してもよいものである。また、磁気ベルト６の駆動手段は、電動モータ以外のものでもよい。そして、前記ローラ７の駆動は、駆動手段をローラに直結したものでも、間接駆動するものでもよく、少なくとも１個のローラのみを駆動するものであればよいものである。また、この回転体としてのローラ７は、通常のコンベヤー等に使用されるようなベルト等の磁性搬送媒体手段の形態に応じた他のものを適宜用いることができるものである。さらに、こぼれ玉の搬送媒体手段としては、磁気ベルト６に替えて磁気紐その他を使用してもよいものであり、ベルト状のものとは限らない。
【００４０】
本実施の形態のこぼれ玉回収装置１０においては、パチンコ玉回収ボックスは、島１００の最下部の四隅に配置したローラ７，７のうち、少なくとも対角位置にあるローラ７，７の位置における島１００の腰板１５下部の巾木部と妻板１７の接合部分にあたる位置に、パチンコ玉回収ボックスをフロア−床下の穴１１の底に載置するように設置してあるものである。
【００４１】
パチンコ玉回収ボックスは、ゴミ回収ボックス１と玉・ゴミ分離ボックス２とからなっている。このゴミ回収ボックス１は、丸型又は角型の有底筒状体からなり、該ゴミ回収ボックス１内の上方に、ゴミ収容空間が確保可能となるような位置に、玉・ゴミ分離ボックス２が収容保持されている。そして、この玉・ゴミ分離ボックス２の外周上部には取手３が設けられ、該玉・ゴミ分離ボックス２の内部上方には消磁コイル４が配置されている。該パチンコ玉回収ボックスは、前記ローラ７の下方に形成されたフロア−の穴１１内に設置されている。
【００４２】
そして、このパチンコ玉回収ボックスを設置する個所において、こぼれ玉回収装置１０のローラ７，７の外周面に接するように、島１００の巾木部と妻板１７の接合部にあたる位置に異物分離ブラシ５が配設してある。電動モータ８は、正転又は逆転可能な形式のものとし、前記島１００の四隅に配置したローラ７のうちの１つと連結して適宜配置されるものであり、島１００内でのパチンコ機の調整やパチンコ玉の補給機構のメンテナンスなど、他の作業の邪魔にならないように、腰板１５，１５の下方位置に配設されるものである。
【００４３】
本実施の形態のこぼれ玉回収装置１０によるこぼれ玉の回収について説明すると、遊技場内の通路部分のフロア−に散乱するパチンコのこぼれ玉及び磁性体のゴミ等が遊技場の係員により腰板１５の方へと押しやられ、磁気ベルト６に付着されると、パチンコのこぼれ玉及び磁性体のゴミ等は磁気ベルト６に付着したまま、前記妻板１７付近に設置された異物分離ブラシ５のところまで磁気ベルト６の周回により搬送されるものである。なお、磁気ベルト６の材質は、磁性体そのもので形成するか、磁性体を合成樹脂等に混合させたものなどにより、適宜形成されるもので良く、これを公知の手段により磁性を適宜付与すればよいものである。
【００４４】
この磁気ベルト６の搬送路は、腰板１５下部の巾木部の下端から該磁気ベルト６が臨めるように形成するか、又は巾木に換えて配設してもよいものであるが、少なくとも遊技場の通路のフロア−面と該磁気ベルト６の下端部の面とが近接し、こぼれ玉が付着して搬送が可能な形態のものでありさえすれば良いものである。好ましい例は、フロアー面をやや掘り下げて、巾木部の下側に磁気ベルト通路溝を形成し、磁気ベルト６の下端面がフロア−面よりも下方に位置するように形成することが望ましい。これと共に、フロア−面を島と島の間を山高に形成して、パチンコのこぼれ玉が傾斜を転がって、それぞれの島の前記磁気ベルト通路溝又は該溝を形成しない場合は腰板１５方向へと、自然に転動するようにフロアーを形成すると、本実施形態のこぼれ玉回収装置１０の設置によるこぼれ玉回収の作用効果は倍化されるものである。
【００４５】
そして、島１００の隅角部の妻板１７の部分に取り付けられた前記異物分離ブラシ５により磁気ベルト６で付着搬送されてきた前記パチンコのこぼれ玉と磁性体のゴミ等を掻き落とし、その下方に設置されたパチンコ玉回収ボックス内に落下させてこぼれ玉とゴミ等を分離しつつ収容するものである。その後、こぼれ玉等が溜まった段階、又は遊技場の閉店後の清掃作業の段階で玉・ゴミ分離ボックス２又はゴミ回収ボックス１から、回収玉とゴミ等とを取り出して、それぞれ適宜処分するようにしたものである。
【００４６】
前記ゴミ回収ボックス１内に収容保持された玉・ゴミ分離ボックス２は、その底部が段差状に形成されているものである。この玉・ゴミ分離ボックス２は、その中間深さ部分の棚部と底部との間に段差をもち、該棚部と底部とはパチンコ玉の落下を受ける面がスノコ状又は網目状に形成されているものである。該玉・ゴミ分離ボックス２の前記棚部と底部とは閉塞されず、網目等により下方へ向かって開放された構造に形成されている。したがって、こぼれ玉に付着したゴミ等がパチンコ玉から分離されて、該玉・ゴミ分離ボックス２より更に下方に配置されるゴミ回収ボックス１へと落下することを許容するように形成されているものである。また、前記棚部はスノコ状又は網目状の棚で傾斜配置されているものであるため、その傾斜により案内されるパチンコ玉が下方側の底部にガイドされて、１ヶ所にパチンコ玉が滞留して溜まらないようにされている。
【００４７】
この玉・ゴミ分離ボックス２の構造により、回収されたパチンコ玉は前記棚部の傾斜に沿ってパチンコ玉が案内され、下方に位置する前記底部へと落とし込むように作用するものである。この棚部及び底部は、スノコ状又は網目状に形成されていることにより、こぼれ玉に付着したゴミ等を落下による衝撃でパチンコ玉から分離する構造となっている。このスノコ状又は網目状の目のサイズは、パチンコ玉の径よりも狭いサイズとしたものである。
【００４８】
パチンコ玉掻き落し手段としての前記異物分離ブラシ５は、図５に示すように、平板状の本体５ａとこの本体５ａの少なくとも一方の面に植設されたブラシ体５ｂとからなっている。磁気ベルト６に付着されて搬送されてきたこぼれ玉は、このブラシ体５ｂにより掻き落されるようになっている。このようなパチンコ玉掻き落し手段としては、該異物分離ブラシ５のものに限らず、スポンジ状のものや織布、不織布製のものなど他の形態のものでも良いことは勿論である。
【００４９】
前記異物分離ブラシ５により掻き落とされて落下したこぼれ玉及び磁性体のゴミ等は帯磁しており、そのまま放置することは好ましくないため、玉・ゴミ分離ボックス２内の前記消磁コイル４を通過する段階で該消磁コイル４により磁気を除去する。
【００５０】
この玉・ゴミ分離ボックス２は、前記スノコ状又は網目状の棚部の上部に前記消磁コイル４を一体的に備えるものでも良いし、該消磁コイル４を別体に備えるものであってもよい。上記パチンコ玉回収ボックスは、例えば前記島１００の四隅のいずれかの２ヶ所に形成した所定の穴１１内に適宜配設されるものである。また、前記異物分離ブラシ５により掻き落とされて落下したこぼれ玉及び磁性体を該消磁コイル４を通過する際に消磁するように構成してもよいが、該消磁コイル４の部分で一時滞留させるように形成した斜交棚等を通過させるように構成して消磁してもよい。
【００５１】
また、上記したように消磁コイル４による消磁後も回収したパチンコ玉には、ゴミ等が付着しているため、前記玉・ゴミ分離ボックス２のスノコ状又は網目状の棚部及び底部に落下させてその際の衝撃作用によりパチンコ玉とゴミ等を分離し、ゴミ等だけを玉・ゴミ分離ボックス２の更に下方に設置したゴミ回収ボックス１の底部へと落下させてゴミ等を分離回収するものである。したがって、こぼれ玉であるパチンコ玉は、概ねゴミ等が分離された状態で前記玉・ゴミ分離ボックス２の底に収容されて回収されるものである。
【００５２】
かくして、パチンコのこぼれ玉がある程度前記玉・ゴミ分離ボックス２内に溜まった段階、又は遊技場の閉店後の段階で、磁気ベルトの運転を止めた後、取手３を引き起こして前記玉・ゴミ分離ボックス２を前記ゴミ回収ボックス１から取り出してパチンコ玉を回収し、前記パチンコ台の島１００内の前記パチンコ玉揚送研磨機４０又は異物排除装置４４へと移し替えるものである。
【００５３】
一方、ゴミ回収ボックス１内のゴミ等に関しては、玉・ごみ分離ボックス２の取り出し後、その場において或いは他の場所まで該ゴミ回収ボックス１を手作業により持って行き、掃除機等により清掃するようにしたものである。
【００５４】
【こぼれ玉回収機構の第２実施形態】
更に、第１の実施の形態を改善した第２の実施の形態として、島１００内のこぼれ玉をも回収可能なように、こぼれ玉回収装置１０を設置する必要がある場合には、腰板１５下部の巾木部の下部に磁気ベルト６を臨ませ、該磁気ベルト６の裏面側或いは下端部に直接こぼれ玉を付着するように形成するか、又は前記フロア−面に形成した磁気ベルト等通路溝に島内のこぼれ玉を落とし込むように島内のフロア−面を山高に形成し、該通路溝内に落とし込まれたこぼれ玉を磁気ベルト６に付着させるように形成するなど、適宜の措置を講ずることが考えられる。この場合は、磁気ベルト６の磁性搬送媒体手段はベルト状のものを使用するよりも、紐状のものを用いる方がこぼれ玉の付着搬送に有利である。
【００５５】
【発明の効果】
本発明は、次の効果を奏するものである。
１．本発明により、こぼれ玉及び磁性体ゴミを従来のようにいちいち全て手作業による面倒な回収作業を、いちいちパチンコ玉等を拾い上げる手作業を無くし、遊技場通路のフロア−上に散乱するパチンコ玉を迅速且つ簡便に回収できるようになるため、ホールスタッフの作業を軽減することができる。
２．本発明により、パチンコのこぼれ玉を磁性ベルト等の磁性搬送媒体手段に付着させて搬送移動し、島の適宜個所において前記磁気ベルト等に付着して搬送されたパチンコ玉を掻き落し、自動的に掻き落されたパチンコ玉と共に磁性ゴミ等とを自動的に回収することができる。
３．本発明により、パチンコのこぼれ玉や磁性ゴミ等を前記磁性ベルト等に付着させて搬送移動し、島の適宜個所において前記磁気ベルト等に付着して搬送されたパチンコ玉・ゴミ等を異物分離ブラシにより掻き落し、掻き落されたパチンコ玉と共に磁性ゴミ等をも一緒に自動的に回収することができる。
４．本発明により、パチンコのこぼれ玉を前記磁性ベルト等に付着させて搬送移動し、島の適宜個所において前記磁気ベルト等に付着して搬送されたパチンコ玉を掻き落し、消磁後のこぼれ玉に付着したゴミ等を該玉・ゴミ分離ボックスの底部に落下させて、その衝撃によりパチンコ玉から分離すると共に、こぼれ玉の落下受け面に段差を設けることにより、その衝撃を２度付与することができるようにしたので、ゴミ等の分別分離を一層効率良く促進させることができる。
５．本発明により、パチンコのこぼれ玉を磁性ベルト等に付着させて搬送移動し、島の適宜個所において磁気ベルト等に付着して搬送されたパチンコ玉を掻き落し、消磁後のこぼれ玉に付着したゴミ等を該玉・ゴミ分離ボックスの底部に落下させる衝撃によりパチンコ玉から分離すると共に、こぼれ玉の落下受け面に段差を形成したので、その衝撃を２度付与することで、ゴミ等の分別分離を一層効率良く促進させることができ、かつ、こぼれ玉の落下受け面の段差の上段の底部をスノコ状又は網目状の棚で傾斜配置することにより、落下するパチンコ玉が下方側にガイドされて、１ヶ所にパチンコ玉が滞留して溜まらないようにしたので、上段の棚は常に新しいこぼれ玉の落下を受けることができ、こぼれ玉に付着したゴミ等の分別分離を一層効率良く促進させることができる。
【図面の簡単な説明】
【図１】パチンコ台の島の全体概略図である。
【図２】本実施の形態の島要部の斜視説明図である。
【図３】パチンコ台の島の断面図である。
【図４】本実施の形態のこぼれ玉回収装置の説明図である。
【図５】異物分離ブラシの概略説明図である。
【符号の説明】
１      ゴミ回収ボックス
２      玉・ゴミ分離ボックス
３      取手
４      消磁コイル
５      異物分離ブラシ
６      磁気ベルト
７      ローラ
８      電動モータ
１０      こぼれ玉回収装置
１００      島
【図１】
2004160022.tif 000003
【図２】
2004160022.tif 000004
【図３】
2004160022.tif 000005
【図４】
2004160022.tif 000006
【図５】
2004160022.tif 000007